(57)【要約】  ズームレンズＺＬは、物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有し、変倍時に、隣り合う各レンズ群の間隔が変化し、下記の条件式を満足する。  １２５０．０＜−(ｆｔ／ｆｗ)／(ｆ２／ｆ１)  但し、ｆｗ：広角端状態におけるズームレンズ全系の焦点距離        ｆｔ：望遠端状態におけるズームレンズ全系の焦点距離        ｆ１：前記第１レンズ群の焦点距離        ｆ２：前記第２レンズ群の焦点距離
2019220628.tif 000002
【特許請求の範囲】
【請求項１】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、変倍時に、隣り合う各レンズ群の間隔が変化し、
下記の条件式を満足するズームレンズ。
１２５０．０＜−(ｆｔ／ｆｗ)／(ｆ２／ｆ１)
但し、ｆｗ：広角端状態における前記ズームレンズ全系の焦点距離
ｆｔ：望遠端状態における前記ズームレンズ全系の焦点距離
ｆ１：前記第１レンズ群の焦点距離
ｆ２：前記第２レンズ群の焦点距離
【請求項２】
下記の条件式を満足する請求項１に記載のズームレンズ。
１３．００＜ｆ１／（−ｆ２）
【請求項３】
下記の条件式を満足する請求項１もしくは２に記載のズームレンズ。
３３．００＜ｆ１／ｆｗ＜５０．００
但し、ｆｗ：広角端状態における前記ズームレンズ全系の焦点距離
【請求項４】
広角状態から望遠状態への変倍時に、前記第１レンズ群が物体側へ移動する請求項１〜３のいずれかに記載のズームレンズ。
【請求項５】
広角状態から望遠状態への変倍時に、前記第１レンズ群と前記第２レンズ群の間隔が拡大し、前記第２レンズ群と前記第３レンズ群の間隔が縮小し、前記第３レンズ群と前記第４レンズ群の間隔が拡大する請求項１〜４のいずれかに記載のズームレンズ。
【請求項６】
変倍時に、前記第１レンズ群、前記第２レンズ群、前記第３レンズ群および前記第４レンズ群が光軸に沿って移動する請求項１〜５のいずれかに記載のズームレンズ。
【請求項７】
変倍時に、前記第５レンズ群が光軸に沿って移動する請求項１〜６のいずれかに記載のズームレンズ。
【請求項８】
前記第３レンズ群の少なくとも１つのレンズ面は、非球面を有する請求項１〜７のいずれかに記載のズームレンズ。
【請求項９】
前記第１レンズ群が４枚のレンズで構成される請求項１〜８のいずれかに記載のズームレンズ。
【請求項１０】
前記第４レンズ群が２枚以下のレンズで構成される請求項１〜９のいずれかに記載のズームレンズ。
【請求項１１】
前記第５レンズ群が２枚以下のレンズで構成される請求項１〜１０のいずれかに記載のズームレンズ。
【請求項１２】
前記第５レンズ群の少なくとも１つのレンズ面は、非球面を有する請求項１〜１１のいずれかに記載のズームレンズ。
【請求項１３】
合焦の際に、前記第４レンズ群の少なくとも一部が光軸に沿って移動する請求項１〜１２のいずれかに記載のズームレンズ。
【請求項１４】
前記第３レンズ群は、光軸と垂直な方向の変位成分を有するように移動可能な防振レンズ群を少なくとも一部に有する請求項１〜１３のいずれかに記載のズームレンズ。
【請求項１５】
下記の条件式を満足する請求項１〜１４のいずれかに記載のズームレンズ。
１０．００＜Ｄｔ１２／（−ｆ２）
但し、Ｄｔ１２：望遠端状態における前記第１レンズ群の像側面から前記第２レンズ群の物体側面までの光軸上の距離
【請求項１６】
下記の条件式を満足する請求項１〜１５のいずれかに記載のズームレンズ。
３３．００＜ｆｔ／（−ｆ２）＜６０．００
【請求項１７】
下記の条件式を満足する請求項１〜１６のいずれかに記載のズームレンズ。
６５．００＜（β２ｔ・β３ｔ）／（β２ｗ・β３ｗ）＜１２０．００
但し、β２ｔ：望遠端状態における前記第２レンズ群の倍率
β３ｔ：望遠端状態における前記第３レンズ群の倍率
β２ｗ：広角端状態における前記第２レンズ群の倍率
β３ｗ：広角端状態における前記第３レンズ群の倍率
【請求項１８】
下記の条件式を満足する請求項１〜１７のいずれかに記載のズームレンズ。
１８．００＜ｆｔ／ｆ３＜３３．００
但し、ｆ３：前記第３レンズ群の焦点距離
【請求項１９】
下記の条件式を満足する請求項１〜１８のいずれかに記載のズームレンズ。
１０．００＜ｆｔ／Ｘ２＜２０．００
但し、Ｘ２：広角端状態から望遠端状態への変倍に際し、結像位置に対して前記第２レンズ群が像面方向に移動する距離
【請求項２０】
前記第２レンズ群と前記第４レンズ群との間に、開口絞りを有する請求項１〜１９のいずれかに記載のズームレンズ。
【請求項２１】
前記第２レンズ群と前記第３レンズ群との間に、開口絞りを有する請求項１〜２０のいずれかに記載のズームレンズ。
【請求項２２】
下記の条件式を満足する請求項１〜２１のいずれかに記載のズームレンズ。
０．１０°＜ωｔ＜４．００°
但し、ωｔ：望遠端状態における半画角
【請求項２３】
下記の条件式を満足する請求項１〜２２のいずれかに記載のズームレンズ。
２５．００°＜ωｗ＜８０．００°
但し、ωｗ：広角端状態における半画角
【請求項２４】
請求項１〜２３のいずれかに記載のズームレンズを搭載して構成される光学機器。
【請求項２５】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、変倍時に、隣り合う各レンズ群の間隔を変化させるズームレンズの製造方法であって、
下記の条件式を満足するように、前記第１〜第５レンズ群を鏡筒内に配置するズームレンズの製造方法。
１２５０．０＜−(ｆｔ／ｆｗ)／(ｆ２／ｆ１)
但し、ｆｗ：広角端状態における前記ズームレンズ全系の焦点距離
ｆｔ：望遠端状態における前記ズームレンズ全系の焦点距離
ｆ１：前記第1レンズ群の焦点距離
ｆ２：前記第２レンズ群の焦点距離
【発明の詳細な説明】
【技術分野】
【０００１】
本発明は、ズームレンズ、これを用いた光学機器及びこのズームレンズの製造方法に関する。
【背景技術】
【０００２】
従来、光軸に沿って物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、各レンズ群を移動させて変倍を行うズームレンズが提案されている（例えば、特許文献１を参照）。従来のズームレンズにおいては、更なる高変倍化が求められている。
【先行技術文献】
【特許文献】
【０００３】
【特許文献１】特開２０１３‐１６４４５５号公報
【発明の概要】
【０００４】
本発明に係るズームレンズは、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、変倍時に、隣り合う各レンズ群の間隔が変化し、下記の条件式を満足する。
【０００５】
１２５０．０＜−(ｆｔ／ｆｗ)／(ｆ２／ｆ１)
但し、ｆｗ：広角端状態における前記ズームレンズ全系の焦点距離
ｆｔ：望遠端状態における前記ズームレンズ全系の焦点距離
ｆ１：前記第１レンズ群の焦点距離
ｆ２：前記第２レンズ群の焦点距離
【０００６】
本発明に係る光学機器は、上記本発明に係るズームレンズを搭載して構成される。
【０００７】
本発明に係るズームレンズの製造方法は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを鏡筒内に配置し、変倍時に、隣り合う各レンズ群の間隔が変化し、且つ下記の条件式を満足するように構成する。
【０００８】
１２５０．０＜−(ｆｔ／ｆｗ)／(ｆ２／ｆ１)
但し、ｆｗ：広角端状態における前記ズームレンズ全系の焦点距離
ｆｔ：望遠端状態における前記ズームレンズ全系の焦点距離
ｆ１：前記第１レンズ群の焦点距離
ｆ２：前記第２レンズ群の焦点距離
【図面の簡単な説明】
【０００９】
【図１】第１実施例に係るズームレンズのレンズ構成を示す断面図である。
【図２】第１実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図３】図３（Ａ）、図３（Ｂ）および図３（Ｃ）はそれぞれ、第１実施例に係るズームレンズの広角端状態、中間焦点距離状態、望遠端状態における諸収差図である。
【図４】第２実施例に係るズームレンズのレンズ構成を示す断面図である。
【図５】第２実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図６】図６（Ａ）、図６（Ｂ）および図６（Ｃ）はそれぞれ、第２実施例に係るズームレンズの広角端状態、中間焦点距離状態、望遠端状態における諸収差図である。
【図７】第３実施例に係るズームレンズのレンズ構成を示す断面図である。
【図８】第３実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図９】図９（Ａ）、図９（Ｂ）および図９（Ｃ）はそれぞれ、第３実施例に係るズームレンズの広角端状態、中間焦点距離状態、望遠端状態における諸収差図である。
【図１０】第４実施例に係るズームレンズのレンズ構成を示す断面図である。
【図１１】第４実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図１２】図１２（Ａ）、図１２（Ｂ）および図１２（Ｃ）はそれぞれ、第４実施例に係るズームレンズの広角端状態、中間焦点距離状態、望遠端状態における諸収差図である。
【図１３】第５実施例に係るズームレンズのレンズ構成を示す断面図である。
【図１４】第５実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図１５】図１５（Ａ）、図１５（Ｂ）および図１５（Ｃ）はそれぞれ、第５実施例に係るズームレンズの広角端状態、中間焦点距離状態、望遠端状態における諸収差図である。
【図１６】第６実施例に係るズームレンズのレンズ構成を示す断面図である。
【図１７】第６実施例に係るズームレンズのレンズ構成を示す断面図であり、（Ｗ）は広角端状態、（Ｍ）は中間焦点距離状態、（Ｔ）は望遠端状態における各レンズ群の位置を示す。
【図１８】図１８（Ａ）、図１８（Ｂ）および図１８（Ｃ）はそれぞれ、第６実施例に係るズームレンズの広角端状態、中間焦点距離状態、望遠端状態における諸収差図である。
【図１９】本実施形態に係るズームレンズを備えたカメラの構成を示す概略図である。
【図２０】本実施形態に係るズームレンズの製造方法の概略を示すフローチャートである。
【発明を実施するための形態】
【００１０】
以下、本実施形態について図を参照して説明する。本実施形態に係るズームレンズＺＬを備えたカメラ（光学機器）を図１９に示している。なお、本明細書において「レンズ成分」という用語を用いることがあるが、この場合、レンズ成分とは、「単レンズまたは接合レンズ」を意味する用語として用いている。
【００１１】
カメラ１は、図１９に示すように、撮影レンズ２として本実施形態に係るズームレンズＺＬを備えたデジタルカメラである。カメラ１において、不図示の物体（被写体）からの光は、撮影レンズ２で集光されて、撮像素子３へ到達する。これにより被写体からの光は、当該撮像素子３によって撮像されて、被写体画像として不図示のメモリに記録される。このようにして、撮影者はカメラ１による被写体の撮影を行うことができる。なお、このカメラは、ミラーレスカメラでも、クイックリターンミラーを有した一眼レフタイプのカメラであっても良い。
【００１２】
本実施形態に係るズームレンズＺＬの一例としてのズームレンズＺＬ（１）は、図１に示すように、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有し、変倍時に、隣り合う各レンズ群の間隔が変化する。
【００１３】
なお、本実施形態に係るズームレンズＺＬは、図４に示すズームレンズＺＬ（２）、図７に示すズームレンズＺＬ（３）、図１０に示すズームレンズＺＬ（４）、図１３に示すズームレンズＺＬ（５）、図１６に示すズームレンズＺＬ（６）でも良い。
【００１４】
本実施形態に係るズームレンズＺＬは、上記のような構成の下、下記の条件式（１）を満足する。
【００１５】
１２５０．０＜−(ｆｔ／ｆｗ)／(ｆ２／ｆ１)  ・・・（１）
但し、ｆｗ：広角端状態におけるズームレンズ全系の焦点距離
ｆｔ：望遠端状態におけるズームレンズ全系の焦点距離
ｆ１：第１レンズ群Ｇ１の焦点距離
ｆ２：第２レンズ群Ｇ２の焦点距離
【００１６】
本実施形態に係るズームレンズＺＬを上述のように構成することにより、高変倍化を達成することができる。本実施形態に係るズームレンズＺＬを撮影レンズ２として備えた上記カメラ１によれば、高倍率でありながら、良好な光学性能を有するカメラを実現することができる。
【００１７】
上記条件式（１）は、球面収差、非点収差および色収差を小さくするための条件式である。この条件式（１）の下限値を下回る場合、変倍比（ズーム比）を大きく取ることができないため、好ましくない。また、条件式（１）の下限値を下回る場合、第１レンズ群の焦点距離が相対的に小さくなり小型化には有利だが、望遠端状態における球面収差や倍率色収差の補正が困難になる。
【００１８】
本実施形態の効果を確実なものとするために、条件式（１）の下限値を１３００．０、更に１３５０．０、１４００．０、１５００．０、１６００．０とすることがより好ましい。本実施形態の効果を確実なものとするために、条件式（１）の上限値を５０００．０、更に４０００．０、３０００．０、２７００．０、２３００．０とすることがより好ましい。このような上限値を設けた条件式（１）を満足することで、小型でありながら高い変倍比を確保することができる。
【００１９】
本実施形態に係るズームレンズＺＬは、下記の条件式（２）を満足することが好ましい。
１３．００＜ｆ１／（−ｆ２）  ・・・（２）
【００２０】
条件式（２）は、球面収差、非点収差および色収差を小さくするための条件式である。第１レンズ群Ｇ１の屈折力が相対的に大きくなり過ぎて、条件式（２）の下限値を下回る場合、小型化には有利だが、望遠端状態における球面収差や倍率色収差の補正が困難になる。また、第２レンズ群Ｇ２の屈折力が相対的に小さくなり過ぎて、条件式（２）の下限値を下回る場合、高い変倍比を確保するためには全長が大型化する。ここで、光学系の小型化を維持するためには、第１レンズ群Ｇ１の屈折力を大きくしなければならず、望遠端状態における球面収差が悪化する。
【００２１】
本実施形態の効果を確実なものとするために、条件式（２）の下限値を１３．３０、更に１３．６０、１３．９０、１４．２０とすることがより好ましい。本実施形態の効果を確実なものとするために、条件式（２）の上限値を２５．００、更に２３．００、２０．００、１９．００、１８．００、１７．００とすることがより好ましい。このような上限値を設けた条件式（２）を満足することで、球面収差、非点収差および色収差がより小さくなり好ましい。
【００２２】
本実施形態に係るズームレンズＺＬは、下記の条件式（３）を満足することが好ましい。
３３．００＜ｆ１／ｆｗ＜５０．００  ・・・（３）
【００２３】
条件式（３）は、第１レンズ群Ｇ１の焦点距離と、広角端状態におけるズームレンズ全系の焦点距離との比の適正範囲を規定している。この条件式（３）の上限値を上回る場合、下限値を下回る場合共に、歪曲収差、非点収差、コマ収差等の諸収差が悪化するため、好ましくない。
【００２４】
本実施形態の効果を確実なものとするために、条件式（３）の下限値を３３．５０、更に３４．００、３４．５０、３５．００、３５．５０、３６．００とすることがより好ましい。本実施形態の効果を確実なものとするために、条件式（３）の上限値を４９．００、更に４８．００、４７．００、４６．００、４５．００、４３．００とすることがより好ましい。
【００２５】
本実施形態に係るズームレンズＺＬは、広角端状態から望遠端状態への少なくとも一部の変倍時に、第１レンズ群Ｇ１が物体側へ移動することが好ましい。この構成により、小型で、高倍率化を達成することができる。
【００２６】
本実施形態に係るズームレンズＺＬは、広角端状態から望遠端状態への少なくとも一部の変倍時に、第１レンズ群Ｇ１と第２レンズ群Ｇ２の間隔が拡大し、第２レンズ群Ｇ２と第３レンズ群Ｇ３の間隔が縮小し、第３レンズ群Ｇ３と第４レンズ群Ｇ４の間隔が拡大することが好ましい。この構成により、小型で、高倍率化を達成することができる。
【００２７】
本実施形態に係るズームレンズＺＬは、変倍時に、第１レンズ群Ｇ１、第２レンズ群Ｇ２、第３レンズ群Ｇ３および第４レンズ群Ｇ４が光軸に沿って移動することが好ましい。この構成により、小型で、高倍率化を達成することができる。
【００２８】
本実施形態に係るズームレンズＺＬは、変倍時に、第５レンズ群Ｇ５が光軸に沿って移動することが好ましい。この構成により、小型で、高倍率化を達成することができる。
【００２９】
本実施形態に係るズームレンズＺＬは、第３レンズ群Ｇ３の少なくとも１つのレンズ面は、非球面を有することが好ましい。この構成により、小型で、球面収差、コマ収差等の諸収差を良好に補正することができる。
【００３０】
本実施形態に係るズームレンズＺＬは、第１レンズ群Ｇ１が４枚のレンズで構成されることが好ましい。この構成により、小型で、球面収差、コマ収差等の諸収差を良好に補正することができる。
【００３１】
本実施形態に係るズームレンズＺＬは、第４レンズ群Ｇ４が２枚以下のレンズで構成されることが好ましい。この構成により、小型で、球面収差、コマ収差等の諸収差を良好に補正することができる。
【００３２】
本実施形態に係るズームレンズＺＬは、第５レンズ群Ｇ５が２枚以下のレンズで構成されることが好ましい。この構成により、小型で、球面収差、コマ収差等の諸収差を良好に補正することができる。
【００３３】
本実施形態に係るズームレンズＺＬは、第５レンズ群Ｇ５の少なくとも１つのレンズ面は、非球面を有することが好ましい。この構成により、小型で、球面収差、コマ収差等の諸収差を良好に補正することができる。
【００３４】
本実施形態に係るズームレンズＺＬは、合焦の際に、第４レンズ群Ｇ４が光軸に沿って移動することが好ましい。この構成により、合焦時における球面収差、コマ収差等の諸収差の変動を小さくすることができる。なお、合焦の際に、第４レンズ群Ｇ４の少なくとも一部が光軸に沿って移動する構成としてもよい。
【００３５】
本実施形態に係るズームレンズＺＬは、第３レンズ群Ｇ３は、光軸と垂直な方向の変位成分を有するように移動可能な防振レンズ群を少なくとも一部に有することが好ましい。この構成により、手振れ補正時におけるコマ収差等の諸収差の変動を小さくすることができる。なお、防振レンズ群は、第３レンズ群Ｇ３全体であっても、第３レンズ群Ｇ３を構成するいずれかのレンズもしくはこれらの組み合わせであっても良い。例えば、第３レンズ群Ｇ３の最も物体側の正レンズ、もしくは第３レンズ群Ｇ３の最も像側の接合レンズが防振レンズ群を構成するようにしてもよい。
【００３６】
本実施形態に係るズームレンズＺＬは、下記の条件式（４）を満足することが好ましい。
１０．００＜Ｄｔ１２／（−ｆ２）  ・・・（４）
但し、Ｄｔ１２：望遠端状態における第１レンズ群Ｇ１の像側面から第２レンズ群Ｇ２の物体側面までの光軸上の距離
【００３７】
条件式（４）は、球面収差、倍率色収差および軸上色収差を小さくし、良好な光学性能を確保するための条件式である。この条件式（４）の下限値を下回る場合、望遠端状態における第１レンズ群Ｇ１と第２レンズ群Ｇ２との間隔が著しく小さくなるため、第１レンズ群Ｇ１，第２レンズ群Ｇ２の屈折力が大きくなり過ぎる。第１レンズ群Ｇ１の屈折力が大きくなると、特に、望遠端状態における球面収差、倍率色収差の補正が困難になる。第２レンズ群Ｇ２の屈折力が大きくなると、軸上色収差の補正が困難になる。
【００３８】
本実施形態の効果を確実なものとするために、条件式（４）の下限値を１０．３０、更に１０．５０、１０．８０、１１．００、１１．３０、１１．５０、１１．８０とすることがより好ましい。本実施形態の効果を確実なものとするために、条件式（４）の上限値を２０．００、更に１８．００、１６．００、１４．００とすることがより好ましい。
【００３９】
本実施形態に係るズームレンズＺＬは、下記の条件式（５）を満足することが好ましい。
３３．００＜ｆｔ／（−ｆ２）＜６０．００  ・・・（５）
【００４０】
条件式（５）は、望遠端状態におけるズームレンズ全系の焦点距離と、第２レンズ群Ｇ２の焦点距離との比の適正範囲を規定している。この条件式（５）の上限値を上回る場合、下限値を下回る場合共に、倍率色収差、コマ収差、非点収差等の諸収差が悪化するため、好ましくない。
【００４１】
本実施形態の効果を確実なものとするために、条件式（５）の下限値を３４．００、更に３５．００、３６．００、３７．００、３８．００、３９．００とすることがより好ましい。本実施形態の効果を確実なものとするために、条件式（５）の上限値を５９．００、更に５８．００、５７．００、５６．００、５３．００、５１．００とすることがより好ましい。
【００４２】
本実施形態に係るズームレンズＺＬは、下記の条件式（６）を満足することが好ましい。
６５．００＜（β２ｔ・β３ｔ）／（β２ｗ・β３ｗ）＜１２０．００  ・・・（６）
但し、β２ｔ：望遠端状態における第２レンズ群Ｇ２の倍率
β３ｔ：望遠端状態における第３レンズ群Ｇ３の倍率
β２ｗ：広角端状態における第２レンズ群Ｇ２の倍率
β３ｗ：広角端状態における第３レンズ群Ｇ３の倍率
【００４３】
条件式（６）は、第２レンズ群Ｇ２と第３レンズ群Ｇ３の変倍比の積の適正範囲を規定している。この条件式（６）の上限値を上回る場合、下限値を下回る場合共に、球面収差、コマ収差等の諸収差が悪化するため、好ましくない。
【００４４】
本実施形態の効果を確実なものとするために、条件式（６）の下限値を６６．００、更に６７．００、６８．００、６９．００、７０．００、７５．００とすることがより好ましい。本実施形態の効果を確実なものとするために、条件式（６）の上限値を１１８．００、更に１１６．００、１１４．００、１１２．００、１１０．００、１０７．００とすることがより好ましい。
【００４５】
本実施形態に係るズームレンズＺＬは、下記の条件式（７）を満足することが好ましい。
１８．００＜ｆｔ／ｆ３＜３３．００  ・・・（７）
但し、ｆ３：第３レンズ群Ｇ３の焦点距離
【００４６】
条件式（７）は、望遠端状態におけるズームレンズ全系の焦点距離と、第３レンズ群Ｇ３の焦点距離との比の適正範囲を規定している。この条件式（７）の上限値を上回る場合、下限値を下回る場合共に、コマ収差等の諸収差が悪化するため、好ましくない。
【００４７】
本実施形態の効果を確実なものとするために、条件式（７）の下限値を１８．３０、更に１８．６０、１８．９０、１９．２０、１９．５０、１９．８０、２０．００とすることがより好ましい。本実施形態の効果を確実なものとするために、条件式（７）の上限値を３２．００、更に３１．００、３０．００、２９．００、２８．００、２７．００とすることがより好ましい。
【００４８】
本実施形態に係るズームレンズＺＬは、下記の条件式（８）を満足することが好ましい。
１０．００＜ｆｔ／Ｘ２＜２０．００  ・・・（８）
但し、Ｘ２：広角端状態から望遠端状態への変倍に際し、結像位置に対して第２レンズ群Ｇ２が像面方向に移動する距離
【００４９】
条件式（８）は、広角端状態から望遠端状態への変倍に際して第２レンズ群Ｇ２が移動する距離と、望遠端状態におけるズームレンズ全系の焦点距離との比の適正範囲を規定している。この条件式（８）の上限値を上回る場合、下限値を下回る場合共に、コマ収差等の諸収差が悪化するため、好ましくない。
【００５０】
本実施形態の効果を確実なものとするために、条件式（８）の下限値を１０．２０、更に１０．４０、１０．６０、１０．８０、１１．００とすることがより好ましい。本実施形態の効果を確実なものとするために、条件式（８）の上限値を１９．００、更に１８．００、１７．００、１６．５０とすることがより好ましい。
【００５１】
本実施形態に係るズームレンズＺＬは、第２レンズ群Ｇ２と第４レンズ群Ｇ４との間に、開口絞りＳを有することが好ましい。この構成により、小型で、球面収差、コマ収差、像面湾曲等の諸収差を良好に補正することができる。
【００５２】
本実施形態に係るズームレンズＺＬは、第２レンズ群Ｇ２と第３レンズ群Ｇ３との間に、開口絞りＳを有することが好ましい。この構成により、小型で、球面収差、コマ収差、像面湾曲等の諸収差を良好に補正することができる。
【００５３】
本実施形態に係るズームレンズＺＬは、下記の条件式（９）を満足することが好ましい。
０．１０°＜ωｔ＜４．００°  ・・・（９）
但し、ωｔ：望遠端状態における半画角
【００５４】
条件式（９）は、望遠端状態における画角の最適な値を規定する条件式である。この条件式（９）を満足することにより、コマ収差、歪曲収差、像面湾曲等の諸収差を良好に補正することができる。
【００５５】
本実施形態の効果を確実なものとするために、条件式（９）の下限値を０．２０°、更に０．２５°、０．３０°、０．３３°とすることがより好ましい。本実施形態の効果を確実なものとするために、条件式（９）の上限値を３．００°、更に２．００°、１．００°とすることがより好ましい。
【００５６】
本実施形態に係るズームレンズＺＬは、下記の条件式（１０）を満足することが好ましい。
２５．００°＜ωｗ＜８０．００°  ・・・（１０）
但し、ωｗ：広角端状態における半画角
【００５７】
条件式（１０）は、広角端状態における画角の最適な値を規定する条件式である。この条件式（１０）を満足することにより、コマ収差、歪曲収差、像面湾曲等の諸収差を良好に補正することができる。
【００５８】
本実施形態の効果を確実なものとするために、条件式（１０）の下限値を３０．００°、更に３５．００°、４０．００°とすることがより好ましい。本実施形態の効果を確実なものとするために、条件式（１０）の上限値を７０．００°、更に６０．００°、５０．００°とすることがより好ましい。
【００５９】
続いて、図２０を参照しながら、本実施形態に係るズームレンズＺＬの製造方法について概説する。まず、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを、鏡筒内に並べて配置する（ステップＳＴ１）。次に、変倍時に、隣り合う各レンズ群の間隔を変化させるように構成する（ステップＳＴ２）。さらに、上記条件式（１）を満足するように構成する（ステップＳＴ３）。
【００６０】
本実施形態に係るズームレンズＺＬの製造方法によれば、高変倍でありながら、良好な光学性能を有するズームレンズを製造することができる。
【実施例】
【００６１】
以下、本実施形態の実施例に係るズームレンズＺＬを図面に基づいて説明する。図１、図４、図７、図１０、図１３、図１６は、第１〜第６実施例に係るズームレンズＺＬ｛ＺＬ（１）〜ＺＬ（６）｝の構成等を示す断面図である。これらの図の下部に示す矢印は、広角端状態から望遠端状態にズーミング（変倍動作）するときにおける第１〜第５レンズ群Ｇ１〜Ｇ５および開口絞りＳの移動方向を示している。【００６２】
なお、第１〜第６実施例に係るズームレンズＺＬ（１）〜（６）では、第４レンズ群Ｇ４の全体が合焦レンズ群を構成し、第４レンズ群Ｇ４の全体を像面方向へ移動させることにより、遠距離物体から近距離物体への合焦が行われる。各図において、この合焦レンズ群が無限遠から近距離物体に合焦する際の移動方向を「∞」という記号とともに矢印で示している。また、第１〜第６実施例に係るズームレンズＺＬ（１）〜（６）では、第３レンズ群Ｇ３が、光軸と垂直な方向へ移動可能な防振レンズ群を構成し、手ブレ等による結像位置の変位（像面Ｉ上の像ブレ）を補正する。【００６３】
これらの図において、各レンズ群を符号Ｇと数字の組み合わせにより、各レンズを符号Ｌと数字の組み合わせにより、それぞれ表している。この場合において、符号、数字の種類および数が大きくなって煩雑化するのを防止するため、実施例毎にそれぞれ独立して符号と数字の組み合わせを用いてレンズ群等を表している。このため、実施例間で同一の符号と数字の組み合わせが用いられていても、同一の構成であることを意味するものでは無い。【００６４】
以下に表１〜表６を示すが、これは第１〜第６実施例における各諸元データを示す表である。【００６５】
［レンズ諸元］の表において、面番号は光線の進行する方向に沿った物体側からの光学面の順序を示し、Ｒは各光学面の曲率半径（曲率中心が像側に位置する面を正の値としている）、Ｄは各光学面から次の光学面までの光軸上の距離である面間隔、ｎｄは光学部材の材質のｄ線（波長587.6nm）に対する屈折率、νｄは光学部材の材質のｄ線を基準とするアッベ数を、それぞれ示す。面番号は、光線の進行する方向に沿った物体側からのレンズ面の順序を示す。曲率半径の「∞」は平面又は開口を、（絞りＳ）は開口絞りＳを、それぞれ示す。空気の屈折率ｎｄ＝１．０００００の記載は省略している。レンズ面が非球面である場合には面番号に＊印を付して曲率半径Ｒの欄には近軸曲率半径を示している。【００６６】
［全体諸元］の表にはズームレンズ全体の諸元を示し、ｆはレンズ全系の焦点距離、ＦnoはＦナンバー、ωは半画角（最大入射角、単位は「°(度)」）、Ｙは像高を示す。ＢＦは無限遠合焦時の光軸上でのレンズ最終面から像面Ｉまでの距離（バックフォーカス）を示し、ＴＬはレンズ全長で、光軸上でのレンズ最前面からレンズ最終面までの距離にＢＦを加えた距離を示す。なお、これらの値は、広角端状態（Ｗide）、中間焦点距離（Ｍiddle）、望遠端状態（Ｔele）の各変倍状態におけるそれぞれについて示している。【００６７】
［非球面データ］の表には、［レンズ諸元］に示した非球面について、その形状を次式（ａ）で示す。Ｘ（ｙ）は非球面の頂点における接平面から高さｙにおける非球面上の位置までの光軸方向に沿った距離（ザグ量）を、Ｒは基準球面の曲率半径（近軸曲率半径）を、κは円錐定数を、Ａｉは第ｉ次の非球面係数を示す。「Ｅ-n」は、「×１０-n」を示す。例えば、1.234E-05＝1.234×10-5である。なお、２次の非球面係数Ａ２は０であり、その記載を省略している。【００６８】
Ｘ（ｙ）＝（ｙ2／Ｒ）／｛１＋（１−κ×ｙ2／Ｒ2）1/2｝＋Ａ4×ｙ4＋Ａ6×ｙ6＋Ａ8×ｙ8＋Ａ10×ｙ10  ・・・（ａ）【００６９】
［可変間隔データ］の表は、［レンズ諸元］を示す表において面間隔が「可変」となっている面番号ｉにおける次の面までの面間隔Ｄｉを示す。例えば、第１実施例では、面番号７，１６，２４，２７，３０での面間隔Ｄ７，Ｄ１６，Ｄ２４，Ｄ２７，Ｄ３０を示す。ｆはズームレンズ全系の焦点距離を示す。【００７０】
［レンズ群データ］の表においては、第１〜第５レンズ群Ｇ１〜Ｇ５における群初面（最も物体側の面）の面番号と、各群の焦点距離を示す。【００７１】
［条件式対応値］の表には、上記の条件式（１）〜（１０）に対応する値を示す。【００７２】
以下、全ての諸元値において、掲載されている焦点距離ｆ、曲率半径Ｒ、面間隔Ｄ、その他の長さ等は、特記のない場合一般に「mm」が使われるが、光学系は比例拡大又は比例縮小しても同等の光学性能が得られるので、これに限られるものではない。【００７３】
以上、全ての実施例に共通する事項の説明であり、以下における各実施例での重複する説明は省略する。【００７４】
（第１実施例）
第１実施例について、図１〜図３および表１を用いて説明する。図１は、第１実施例に係るズームレンズＺＬ（１）のレンズ構成を示す図である。このズームレンズＺＬ（１）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。各レンズ群記号に付けている符号（＋）もしくは（−）は各レンズ群の屈折力を示す。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【００７５】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【００７６】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４および物体側に凸面を向けた正メニスカスレンズＬ２５の接合レンズとから構成される。【００７７】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【００７８】
第４レンズ群Ｇ４は、両凸形状の正レンズＬ４１および両凹形状の負レンズＬ４２の接合レンズから構成される。【００７９】
第５レンズ群Ｇ５は、両凸形状の正レンズＬ５１および物体側に凹面を向けた負メニスカスレンズＬ５２の接合レンズから構成される。なお、正レンズＬ５１の物体側の面が非球面である。【００８０】
ズームレンズＺＬ（１）は、広角端状態から望遠状態への変倍時に、第１〜第５レンズ群Ｇ１〜Ｇ５が、図１において矢印で示すように、それぞれ軸方向に移動する。図２にズームレンズＺＬ（１）の広角端状態（Ｗ）、中間焦点距離状態（Ｍ）、望遠端状態（Ｔ）における各レンズ群の位置を示すように、ズームレンズＺＬ（１）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（１）は、広角端状態から望遠状態への変倍時に、第１〜第５レンズ群Ｇ１〜Ｇ５の全てが光軸上を移動する。このため、これらの面間隔Ｄ７，Ｄ１６，Ｄ２４，Ｄ２７，Ｄ３０が可変であり、その値を［可変間隔データ］の表に示している。【００８１】
以下の表１に、第１実施例に係る光学系の諸元の値を掲げる。【００８２】
（表１）
[レンズデータ]       
面番号     R           D         nd            νd
1      1125.7508     2.900    1.80400         46.60
2      116.6970      7.800    1.43700         95.00
3      -403.2629     0.100                 
4      120.4777      6.300    1.49782         82.57
5      5896.3575     0.100                 
6      131.5232      4.700    1.49782         82.57
7      706.2992      D7(可変）                    
8      101.6165      1.300    1.83481         42.72
9      14.7585       7.000                 
10     -37.1514      1.200    1.83481         42.72
11     67.0205       0.100                 
12     28.0710       3.800    1.80518         25.45
13     -55.3977      1.600                 
14     -23.0138      1.000    1.71300         53.96
15     34.9690       1.800    1.92286         20.88
16     101.4240      D16(可変）                   
17     ∞            1.706                            (絞りS)
18*    13.0051       4.100    1.49710         81.49
19*    -82.2128      2.800                 
20     26.3046       1.200    1.91082         35.25
21     11.9450       2.000                 
22     14.9394       1.200    1.77250         49.62
23     11.8012       3.600    1.49782         82.57
24     -37.9553      D24(可変）                   
25     99.5442       1.200    1.53172         48.78
26     -33.2270      0.700    1.49700         81.61
27     16.8349       D27(可変）                   
28*    26.3305       2.000    1.58913         61.15
29     -25.7210      0.600    1.75520         27.57
30     -63.6099      D30(可変）                   
31     ∞            0.400    1.51680         63.88
32     ∞            0.700                 
33     ∞            0.500    1.51680         63.88
34     ∞            BF                    
[全体諸元]
ズーム比      118.06 
Wide     Middle    Tele
f      4.429    48.774    522.925
Fno    2.823    4.541     8.320
ω     43.328   4.633     0.436
Y      3.35     4.05      4.05
BF     0.539    0.535     0.545
TL     167.110  220.006   264.348
[非球面データ]                                   
面番号  κ          A4           A6            A8            A10   
18   1.0000   -3.34121E-05   -7.80290E-08   0.00000E+00   0.00000E+00
19   1.0000   2.89440E-05    -5.47491E-09   7.18776E-10   0.00000E+00
28   1.0000   -3.42328E-05   0.00000E+00    0.00000E+00   0.00000E+00
[可変間隔データ]
可変間隔   Wide       Middle     Tele
D7        0.750      96.945     143.215
D16       81.280     19.078     1.024
D24       2.275      19.965     22.135
D27       14.588     17.640     34.146
D30       5.272      3.437      0.876
[ズームレンズ群データ]      
群番号    群初面    群焦点距離     
G1         1        170.596
G2         8        -11.460
G3         17       23.195
G4         25       -43.614
G5         28       36.268
〔条件式対応値〕
条件式（１）  −(ｆｔ／ｆｗ)／(ｆ２／ｆ１)＝１７５７．４２
条件式（２）  ｆ１／（−ｆ２）＝１４．８８６
条件式（３）  ｆ１／ｆｗ＝３８．５１５
条件式（４）  Ｄｔ１２／（−ｆ２）＝１２．４３１
条件式（５）  ｆｔ／（−ｆ２）＝４５．６３
条件式（６）  （β２ｔ・β３ｔ）／（β２ｗ・β３ｗ）＝８５．７０
条件式（７）  ｆｔ／ｆ３＝２２．５４４
条件式（８）  ｆｔ／Ｘ２＝１１．５６２
条件式（９）   ωｔ＝０．４３６°
条件式（１０）  ωｗ＝４３．３２８°
【００８３】
上記［条件式対応値］の表に示すように、図１に示す第１実施例に係るズームレンズＺＬ（１）は、上記条件式（１）〜（１０）の全てを満たしている。【００８４】
図３（Ａ）、図３（Ｂ）および図３（Ｃ）はそれぞれ、第１実施例に係るズームレンズＺＬ（１）の広角端状態、中間焦点距離状態、望遠端状態における無限遠合焦時の諸収差図である。各諸収差図から分かるように、第１実施例に係るズームレンズＺＬ（１）は、広角端状態から望遠端状態にわたって諸収差を良好に補正し優れた結像性能を有していることがわかる。なお、歪曲収差は撮像後の画像処理により補正可能であり、光学的な補正は必要としない。【００８５】
図３において、ＦＮＯはＦナンバー、Ａは各像高に対する半画角（単位は「°」）をそれぞれ示す。ｄはｄ線（λ＝５８７．６ｎｍ）、ｇはｇ線（λ＝４３５．８ｎｍ）における収差をそれぞれ示す。球面収差図、非点収差図およびコマ収差図において実線はサジタル像面、破線はメリディオナル像面の収差を示す。この説明については、以下の各実施例の収差図全て同様であり、以下における重複する説明は省略する。【００８６】
（第２実施例）
第２実施例について、図４〜図６および表２を用いて説明する。図４は、第２実施例に係るズームレンズＺＬ（２）のレンズ構成を示す図である。このズームレンズＺＬ（２）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【００８７】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【００８８】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４および両凸形状の正レンズＬ２５の接合レンズとから構成される。【００８９】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【００９０】
第４レンズ群Ｇ４は、物体側に凹面を向けた正メニスカスレンズＬ４１および両凹形状の負レンズＬ４２の接合レンズから構成される。【００９１】
第５レンズ群Ｇ５は、物体側に凸面を向けた負メニスカスレンズＬ５１および両凸形状の正レンズＬ５２の接合レンズから構成される。なお、正レンズＬ５２の像面側の面が非球面である。【００９２】
ズームレンズＺＬ（２）は、広角端状態から望遠状態への変倍時に、第１〜第５レンズ群Ｇ１〜Ｇ５が、図４において矢印で示すように、それぞれ軸方向に移動する。図５にズームレンズＺＬ（２）の広角端状態（Ｗ）、中間焦点距離状態（Ｍ）、望遠端状態（Ｔ）における各レンズ群の位置を示すように、ズームレンズＺＬ（２）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（２）は、広角端状態から望遠状態への変倍時に、第１〜第５レンズ群Ｇ１〜Ｇ５の全てが光軸上を移動する。このため、これらの面間隔Ｄ７，Ｄ１６，Ｄ２４，Ｄ２７，Ｄ３０が可変であり、その値を［可変間隔データ］の表に示している。【００９３】
以下の表２に、第２実施例に係る光学系の諸元の値を掲げる。【００９４】
（表２）
[レンズデータ]                                   
面番号     R           D         nd            νd
1      762.6435      2.300    1.80400         46.60
2      110.9325      7.800    1.43700         95.00
3      -702.7734     0.100                 
4      125.2419      6.300    1.49782         82.57
5      8413.3556     0.100                 
6      123.5962      5.400    1.49782         82.57
7      901.6298      D7(可変）                   
8      101.5677      1.000    1.83481         42.73
9      14.2925       6.200                 
10     -54.9983      1.000    1.83481         42.73
11     35.1945       0.100                 
12     24.4888       3.100    1.80518         25.45
13     -94.2125      1.500                 
14     -20.6130      1.000    1.69680         55.52
15     48.3780       2.000    1.92286         20.88
16     -1754.4585    D16(可変）                   
17     ∞            0.750                            (絞りS)
18*    12.7263       3.400    1.49710         81.49
19*    -56.2349      2.300                
20     24.3889       1.000    1.91082         35.25  
21     13.2913       1.850                
22     17.3602       0.800    1.79500         45.31  
23     10.7471       3.600    1.49700         81.61  
24     -42.7734      D24(可変）                  
25     -300.0000     1.900    1.53172         48.78  
26     -15.0512      0.800    1.49700         81.61  
27     15.6517       D27(可変）                  
28     19.1974       0.800    1.75520         27.57  
29     11.3922       2.700    1.58913         61.15  
30*    -66.5570      D30(可変）                  
31     ∞            0.210    1.51680         63.88  
32     ∞            0.850                
33     ∞            0.500    1.51680         63.88  
34     ∞            BF
[全体諸元]                  
ズーム比      117.69        
Wide     Middle    Tele
f      4.430    49.497    521.400
Fno    2.871    4.761     8.049
ω     43.237   4.555     0.437
Y      3.35     4.05      4.05
BF     0.397    0.441     0.400
TL     163.431  219.555   259.842
[非球面データ]                                   
面番号  κ           A4           A6            A8            A10
18   0.1222     8.96340E-06   4.55104E-08   0.00000E+00   0.00000E+00
19   -19.3455   1.37509E-05   -1.49016E-08  0.00000E+00   0.00000E+00
30   1.0000     5.96451E-05   0.00000E+00   0.00000E+00   0.00000E+00
[可変間隔データ]
可変間隔    Wide      Middle    Tele
D7         0.744     99.860    143.560
D16        81.494    21.450    1.698
D24        3.056     17.514    27.871
D27        13.217    17.943    26.436
D30        5.161     2.987     0.518
[ズームレンズ群データ]
群番号    群初面      群焦点距離
G1         1          171.549      
G2         8          -11.391      
G3         17         21.999       
G4         25         -31.974      
G5         28         29.995       
〔条件式対応値〕
条件式（１）  −(ｆｔ／ｆｗ)／(ｆ２／ｆ１)＝１７７２．４０
条件式（２）  ｆ１／（−ｆ２）＝１５．０６０
条件式（３）  ｆ１／ｆｗ＝３８．７２２
条件式（４）  Ｄｔ１２／（−ｆ２）＝１２．５３７
条件式（５）  ｆｔ／（−ｆ２）＝４５．７７
条件式（６）  （β２ｔ・β３ｔ）／（β２ｗ・β３ｗ）＝８８．０２
条件式（７）  ｆｔ／ｆ３＝２３．７０１
条件式（８）  ｆｔ／Ｘ２＝１１．２３６
条件式（９）  ωｔ＝０．４３７°
条件式（１０）  ωｗ＝４３．２３°
【００９５】
上記［条件式対応値］の表に示すように、図４に示す第２実施例に係るズームレンズＺＬ（２）は、上記条件式（１）〜（１０）の全てを満たしている。【００９６】
図６（Ａ）、図６（Ｂ）および図６（Ｃ）はそれぞれ、第２実施例に係るズームレンズＺＬ（２）の広角端状態、中間焦点距離状態、望遠端状態における無限遠合焦時の諸収差図である。各諸収差図から分かるように、第２実施例に係るズームレンズＺＬ（２）は、広角端状態から望遠端状態にわたって諸収差を良好に補正し優れた結像性能を有していることがわかる。【００９７】
（第３実施例）
第３実施例について、図７〜図９および表３を用いて説明する。図７は、第３実施例に係るズームレンズＺＬ（３）のレンズ構成を示す図である。このズームレンズＺＬ（３）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【００９８】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【００９９】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４とから構成される。【０１００】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【０１０１】
第４レンズ群Ｇ４は、物体側に凹面を向けた正メニスカスレンズＬ４１および両凹形状の負レンズＬ４２の接合レンズから構成される。【０１０２】
第５レンズ群Ｇ５は、物体側に凸面を向けた負メニスカスレンズＬ５１および両凸形状の正レンズＬ５２の接合レンズから構成される。なお、正レンズＬ５２の像面側の面が非球面である。【０１０３】
ズームレンズＺＬ（３）は、広角端状態から望遠状態への変倍時に、第１〜第５レンズ群Ｇ１〜Ｇ５が、図７において矢印で示すように、それぞれ軸方向に移動する。図８にズームレンズＺＬ（３）の広角端状態（Ｗ）、中間焦点距離状態（Ｍ）、望遠端状態（Ｔ）における各レンズ群の位置を示すように、ズームレンズＺＬ（３）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（３）は、広角端状態から望遠状態への変倍時に、第１〜第５レンズ群Ｇ１〜Ｇ５の全てが光軸上を移動する。このため、これらの面間隔Ｄ７，Ｄ１５，Ｄ２３，Ｄ２６，Ｄ２９が可変であり、その値を［可変間隔データ］の表に示している。【０１０４】
以下の表３に、第３実施例に係る光学系の諸元の値を掲げる。【０１０５】
（表３）
[レンズデータ]                                   
面番号     R           D        nd             νd
1      825.7960      2.300    1.79500         45.31
2      98.3187       6.400    1.49700         81.61
3      -700.6704     0.100                 
4      108.1709      5.300    1.49700         81.61
5      10000.0000    0.100                 
6      119.8529      4.200    1.49700         81.61
7      438.9962      D7(可変）                    
8      120.0000      1.000    1.83481         42.73
9      12.6841       6.200                 
10     -27.7888      1.000    1.83481         42.73
11     68.4955       0.100                 
12     28.8219       3.200    1.92286         20.88
13     -60.7186      1.300                 
14     -22.0032      1.000    1.60300         65.44
15     432.8493      D15(可変）                   
16     ∞            0.750                           (絞りS)
17*    12.5898       3.300    1.49710         81.49
18*    -55.5281      2.600                 
19     27.7261       1.000    1.91082         35.25
20     12.6137       1.650                 
21     16.3250       0.800    1.79500         45.31
22     12.0000       3.600    1.49700         81.61
23     -27.7139      D23(可変）                   
24     -170.4623     1.900    1.53172         48.78
25     -12.9096      0.800    1.49700         81.61
26     16.8533       D26(可変）                   
27     17.3060       0.800    1.84666         23.80
28     10.8145       2.500    1.58913         61.15
29*    -68.7620      D29(可変）                   
30     ∞            0.210    1.51680         63.88
31     ∞            0.850                 
32     ∞            0.500    1.51680         63.88
33     ∞            BF                    
[全体諸元]                  
ズーム比      94.17         
Wide     Middle     Tele                 
f      4.429    42.877     417.100
Fno    2.828    4.815      7.736
ω     43.275   5.234      0.544
Y      3.35     4.05       4.05
BF     0.397    0.408      0.400
TL     142.450  192.358    240.824
[非球面データ]
面番号  κ          A4            A6            A8            A10
17   0.1145     9.29785E-06   1.52178E-07   5.00000E-10   0.00000E+00
18   -20.0000   2.20597E-05   8.60894E-08   0.00000E+00   0.00000E+00
29   1.0000     8.84720E-05   2.00000E-07   0.00000E+00   0.00000E+00
[可変間隔データ]
可変間隔   Wide    Middle   Tele
D7        0.750   83.314   132.108
D15       68.015  16.620   1.700
D23       3.473   19.505   28.160
D26       11.594  16.242   24.205
D29       4.760   2.810    0.792
[ズームレンズ群データ]
群番号    群初面      群焦点距離
G1         1          159.844      
G2         8          -10.650      
G3         16         20.841       
G4         24         -33.300      
G5         27         29.713       
〔条件式対応値〕
条件式（１）  −(ｆｔ／ｆｗ)／(ｆ２／ｆ１)＝１４１３．４０
条件式（２）  ｆ１／（−ｆ２）＝１５．００９
条件式（３）  ｆ１／ｆｗ＝３６．０９０
条件式（４）  Ｄｔ１２／（−ｆ２）＝１２．３３４
条件式（５）  ｆｔ／（−ｆ２）＝３９．１６
条件式（６）  （β２ｔ・β３ｔ）／（β２ｗ・β３ｗ）＝７１．６７
条件式（７）  ｆｔ／ｆ３＝２０．０１４
条件式（８）  ｆｔ／Ｘ２＝１２．６４６
条件式（９）  ωｔ＝０．５４４°
条件式（１０）  ωｗ＝４３．２７５°
【０１０６】
上記［条件式対応値］の表に示すように、図７に示す第３実施例に係るズームレンズＺＬ（３）は、上記条件式（１）〜（１０）の全てを満たしている。【０１０７】
図９（Ａ）、図９（Ｂ）および図９（Ｃ）はそれぞれ、第３実施例に係るズームレンズＺＬ（３）の広角端状態、中間焦点距離状態、望遠端状態における無限遠合焦時の諸収差図である。各諸収差図から分かるように、第３実施例に係るズームレンズＺＬ（３）は、広角端状態から望遠端状態にわたって諸収差を良好に補正し優れた結像性能を有していることがわかる。【０１０８】
（第４実施例）
第４実施例について、図１０〜図１２および表４を用いて説明する。図１０は、第４実施例に係るズームレンズＺＬ（４）のレンズ構成を示す図である。このズームレンズＺＬ（４）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【０１０９】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【０１１０】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４とから構成される。【０１１１】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【０１１２】
第４レンズ群Ｇ４は、物体側に凹面を向けた正メニスカスレンズＬ４１および両凹形状の負レンズＬ４２の接合レンズから構成される。【０１１３】
第５レンズ群Ｇ５は、物体側に凸面を向けた負メニスカスレンズＬ５１および両凸形状の正レンズＬ５２の接合レンズから構成される。なお、正レンズＬ５２の像面側の面が非球面である。【０１１４】
ズームレンズＺＬ（４）は、広角端状態から望遠状態への変倍時に、第１〜第５レンズ群Ｇ１〜Ｇ５が、図１０において矢印で示すように、それぞれ軸方向に移動する。図１１にズームレンズＺＬ（４）の広角端状態（Ｗ）、中間焦点距離状態（Ｍ）、望遠端状態（Ｔ）における各レンズ群の位置を示すように、ズームレンズＺＬ（４）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（４）は、広角端状態から望遠状態への変倍時に、第１〜第５レンズ群Ｇ１〜Ｇ５の全てが光軸上を移動する。このため、これらの面間隔Ｄ７，Ｄ１５，Ｄ２３，Ｄ２６，Ｄ２９が可変であり、その値を［可変間隔データ］の表に示している。【０１１５】
以下の表４に、第４実施例に係る光学系の諸元の値を掲げる。【０１１６】
（表４）
[レンズデータ]
面番号     R           D        nd             νd
1      670.6555      2.300    1.80400         46.60
2      104.1867      8.000    1.43700         95.00
3      -583.2028     0.100                 
4      111.9338      6.500    1.49782         82.57
5      10000.0000    0.100                 
6      123.1395      5.000    1.49782         82.57
7      619.6537      D7(可変）                    
8      100.0000      1.000    1.83481         42.73
9      12.5036       5.700                 
10     -25.7930      1.000    1.83481         42.73
11     140.7749      0.100                 
12     27.5761       3.200    1.92286         20.88
13     -54.7257      1.200                 
14     -22.7615      1.000    1.69680         55.52
15     121.4627      D15(可変）                   
16     ∞            0.750                           (絞りS)
17*    12.6618       3.300    1.49710         81.49
18*    -47.4135      2.600                 
19     28.9431       1.000    1.91082         35.25
20     13.4878       1.650                 
21     16.9434       0.800    1.79500         45.31
22     11.1253       3.600    1.49700         81.61
23     -29.0967      D23(可変）                   
24     -158.4748     1.900    1.53172         48.78
25     -12.6410      0.800    1.49700         81.61
26     16.6596       D26(可変）                   
27     18.2350       0.800    1.84666         23.80
28     11.9152       2.500    1.58913         61.15
29*    -60.8073      D29(可変）                   
30     ∞            0.210    1.51680         63.88
31     ∞            0.850                 
32     ∞            0.500    1.51680         63.88
33     ∞            BF                    
[全体諸元]
ズーム比      117.72
Wide      Middle     Tele                    
f      4.429      48.781    521.400
Fno    2.882      4.795     8.000
ω     43.280     4.604     0.435
Y      3.35       4.05      4.05
BF     0.399      0.411     0.399
TL     146.032    208.143   248.472
[非球面データ]       
面番号  κ          A4            A6            A8            A10
17   0.5728    -2.22053E-05   3.07926E-08   0.00000E+00   0.00000E+00
18   -20.0000  1.33553E-05    6.68554E-08   -3.00000E-10  0.00000E+00
29   1.0000    9.15167E-05    2.00000E-07   0.00000E+00   0.00000E+00
[可変間隔データ]
可変間隔  Wide      Middle   Tele
D7        0.750    96.046   137.411
D15       68.897   18.921   1.700
D23       3.275    17.429   21.030
D26       11.494   16.462   30.683
D29       4.757    2.415    0.789
[ズームレンズ群データ]      
群番号    群初面      群焦点距離
G1         1          162.824      
G2         8          -10.669      
G3         16         20.757       
G4         24         -32.719      
G5         27         29.103       
〔条件式対応値〕
条件式（１）  −(ｆｔ／ｆｗ)／(ｆ２／ｆ１)＝１７９６．５５
条件式（２）  ｆ１／（−ｆ２）＝１５．２６１
条件式（３）  ｆ１／ｆｗ＝３６．７６３
条件式（４）  Ｄｔ１２／（−ｆ２）＝１２．８０９
条件式（５）  ｆｔ／（−ｆ２）＝４８．８７
条件式（６）  （β２ｔ・β３ｔ）／（β２ｗ・β３ｗ）＝８０．６５
条件式（７）  ｆｔ／ｆ３＝２５．１２０
条件式（８）  ｆｔ／Ｘ２＝１５．２３６
条件式（９）  ωｔ＝０．４３５°
条件式（１０）  ωｗ＝４３．２８０°
【０１１７】
上記［条件式対応値］の表に示すように、図１０に示す第４実施例に係るズームレンズＺＬ（４）は、上記条件式（１）〜（１０）の全てを満たしている。【０１１８】
図１２（Ａ）、図１２（Ｂ）および図１２（Ｃ）はそれぞれ、第４実施例に係るズームレンズＺＬ（４）の広角端状態、中間焦点距離状態、望遠端状態における無限遠合焦時の諸収差図である。各諸収差図から分かるように、第４実施例に係るズームレンズＺＬ（４）は、広角端状態から望遠端状態にわたって諸収差を良好に補正し優れた結像性能を有していることがわかる。【０１１９】
（第５実施例）
第５実施例について、図１３〜図１５および表５を用いて説明する。図１３は、第５実施例に係るズームレンズＺＬ（５）のレンズ構成を示す図である。このズームレンズＺＬ（５）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【０１２０】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【０１２１】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４および物体側に凸面を向けた正メニスカスレンズＬ２５の接合レンズとから構成される。【０１２２】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【０１２３】
第４レンズ群Ｇ４は、物体側に凹面を向けた正メニスカスレンズＬ４１および両凹形状の負レンズＬ４２の接合レンズから構成される。【０１２４】
第５レンズ群Ｇ５は、物体側に凸面を向けた負メニスカスレンズＬ５１および両凸形状の正レンズＬ５２の接合レンズから構成される。なお、正レンズＬ５２の像面側の面が非球面である。【０１２５】
ズームレンズＺＬ（５）は、広角端状態から望遠状態への変倍時に、第１〜第５レンズ群Ｇ１〜Ｇ５が、図１３において矢印で示すように、それぞれ軸方向に移動する。図１４にズームレンズＺＬ（５）の広角端状態（Ｗ）、中間焦点距離状態（Ｍ）、望遠端状態（Ｔ）における各レンズ群の位置を示すように、ズームレンズＺＬ（５）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（５）は、広角端状態から望遠状態への変倍時に、第１〜第５レンズ群Ｇ１〜Ｇ５の全てが光軸上を移動する。このため、これらの面間隔Ｄ７，Ｄ１６，Ｄ２４，Ｄ２７，Ｄ３０が可変であり、その値を［可変間隔データ］の表に示している。【０１２６】
以下の表５に、第５実施例に係る光学系の諸元の値を掲げる。【０１２７】
（表５）
[レンズデータ]
面番号     R           D        nd             νd
1      1755.7589     2.300    1.80400         46.60
2      128.4835      7.800    1.43700         95.00
3      -428.3359     0.100                 
4      137.3981      6.300    1.49782         82.57
5      8413.3556     0.100                 
6      129.8677      5.400    1.49782         82.57
7      810.4701      D7(可変）                    
8      101.5677      1.000    1.83481         42.73
9      14.6453       6.200                 
10     -44.4343      1.000    1.83481         42.73
11     53.3734       0.100                 
12     29.0766       3.100    1.80518         25.45
13     -94.2125      1.500                 
14     -22.5108      1.000    1.69680         55.52
15     36.1975       2.000    1.92286         20.88
16     236.8685      D16(可変）                   
17     ∞            0.750                           (絞りS)
18*    12.4947       3.400    1.49710         81.49
19*    -71.6510      2.300                 
20     22.6205       1.000    1.91082         35.25
21     11.9319       1.850                 
22     15.6310       0.800    1.79500         45.31
23     11.2452       3.600    1.49700         81.61
24     -43.9104      D24(可変）                   
25     -300.0000     1.900    1.53172         48.78
26     -14.5782      0.800    1.49700         81.61
27     15.1307       D27(可変）                   
28     17.9653       0.800    1.75520         27.57
29     10.8468       2.700    1.58913         61.15
30*    -64.5874      D30(可変）                   
31     ∞            0.210    1.51680         63.88
32     ∞            0.850                 
33     ∞            0.500    1.51680         63.88
34     ∞            BF                    
[全体諸元]
ズーム比      124.51
Wide     Middle    Tele    
f      4.429    48.530    551.400
Fno    2.837    4.688     7.982
ω     43.258   4.639     0.413
Y      3.35     4.05      4.05
BF     0.400    0.400     0.400
TL     162.470  226.839   270.824
[非球面データ]                                   
面番号  κ          A4           A6             A8            A10    
18   0.1863    1.31660E-05   2.77665E-08    0.00000E+00   0.00000E+00
19   -10.0000  2.59102E-05   -8.17364E-08   0.00000E+00   0.00000E+00
30   1.0000    5.47520E-05   0.00000E+00    0.00000E+00   0.00000E+00
[可変間隔データ]
可変間隔    Wide      Middle     Tele
D7         0.747     106.517    154.353
D16        79.997    21.447     1.695
D24        3.232     17.690     28.047
D27        13.230    17.955     26.448
D30        5.505     3.470      0.522
[ズームレンズ群データ]
群番号    群初面      群焦点距離
G1         1          182.265      
G2         8          -11.421      
G3         17         22.002       
G4         25         -30.965      
G5         28         28.131       
〔条件式対応値〕
条件式（１）  −(ｆｔ／ｆｗ)／(ｆ２／ｆ１)＝１９８６．９８
条件式（２）  ｆ１／（−ｆ２）＝１５．９５９
条件式（３）  ｆ１／ｆｗ＝４１．１５６
条件式（４）  Ｄｔ１２／（−ｆ２）＝１１．９６６
条件式（５）  ｆｔ／（−ｆ２）＝４８．２８
条件式（６）  （β２ｔ・β３ｔ）／（β２ｗ・β３ｗ）＝９１．４２
条件式（７）  ｆｔ／ｆ３＝２５．０６２
条件式（８）  ｆｔ／Ｘ２＝１６．１１３
条件式（９）  ωｔ＝０．４１３°
条件式（１０）  ωｗ＝４３．２５８°
【０１２８】
上記［条件式対応値］の表に示すように、図１３に示す第５実施例に係るズームレンズＺＬ（５）は、上記条件式（１）〜（１０）の全てを満たしている。【０１２９】
図１５（Ａ）、図１５（Ｂ）および図１５（Ｃ）はそれぞれ、第５実施例に係るズームレンズＺＬ（５）の広角端状態、中間焦点距離状態、望遠端状態における無限遠合焦時の諸収差図である。各諸収差図から分かるように、第５実施例に係るズームレンズＺＬ（５）は、広角端状態から望遠端状態にわたって諸収差を良好に補正し優れた結像性能を有していることがわかる。【０１３０】
（第６実施例）
第６実施例について、図１６〜図１８および表６を用いて説明する。図１６は、第６実施例に係るズームレンズＺＬ（６）のレンズ構成を示す図である。このズームレンズＺＬ（６）は、光軸に沿って物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有して構成される。第５レンズ群Ｇ５より像側で像面Ｉに近接して、フィルターＦＬ１，ＦＬ２が設けられている。フィルターＦＬ１，ＦＬ２は、ローパスフィルタや赤外線カットフィルタ等から構成される。なお、第３レンズ群Ｇ３の物体側に位置して開口絞りＳが配置されている。この開口絞りＳは、第３レンズ群Ｇ３とは独立して構成されているが、第３レンズ群Ｇ３と一緒に光軸方向に移動する。【０１３１】
第１レンズ群Ｇ１は、光軸に沿って物体側から順に並んだ、物体側に凸面（第１面）を向けた負メニスカスレンズＬ１１および両凸形状の正レンズＬ１２の接合レンズと、物体側に凸面を向けた正メニスカスレンズＬ１３と、物体側に凸面を向けた正メニスカスレンズＬ１４とから構成される。【０１３２】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と、両凹形状の負レンズＬ２４および物体側に凸面を向けた正メニスカスレンズＬ２５の接合レンズとから構成される。【０１３３】
第３レンズ群Ｇ３は、光軸に沿って物体側から順に並んだ、両凸形状の正レンズＬ３１と、物体側に凸面を向けた負メニスカスレンズＬ３２と、物体側に凸面を向けた負メニスカスレンズＬ３３および両凸形状の正レンズＬ３４の接合レンズとから構成される。なお、正レンズＬ３１の両側面が非球面である。【０１３４】
第４レンズ群Ｇ４は、物体側に凹面を向けた正メニスカスレンズＬ４１および両凹形状の負レンズＬ４２の接合レンズから構成される。【０１３５】
第５レンズ群Ｇ５は、物体側に凸面を向けた負メニスカスレンズＬ５１および両凸形状の正レンズＬ５２の接合レンズから構成される。なお、正レンズＬ５２の像面側の面が非球面である。【０１３６】
ズームレンズＺＬ（６）は、広角端状態から望遠状態への変倍時に、第１〜第５レンズ群Ｇ１〜Ｇ５が、図１６において矢印で示すように、それぞれ軸方向に移動する。図１７にズームレンズＺＬ（６）の広角端状態（Ｗ）、中間焦点距離状態（Ｍ）、望遠端状態（Ｔ）における各レンズ群の位置を示すように、ズームレンズＺＬ（６）は、広角端状態から望遠状態への変倍時に、第１レンズ群Ｇ１が物体側へ移動するとともに第２レンズ群Ｇ２が像面側へ移動して第１レンズ群Ｇ１と第２レンズ群Ｇ２の間隔が拡大し、第３レンズ群Ｇ３が物体側へ移動して第２レンズ群Ｇ２と第３レンズ群Ｇ３の間隔が縮小し、第４レンズ群Ｇ４が物体側へ移動して第３レンズ群Ｇ３と第４レンズ群Ｇ４の間隔が拡大し、第５レンズ群Ｇ５が像面側へ移動して第４レンズ群Ｇ４と第５レンズ群Ｇ５の間隔が拡大する。このように、ズームレンズＺＬ（６）は、広角端状態から望遠状態への変倍時に、第１〜第５レンズ群Ｇ１〜Ｇ５の全てが光軸上を移動する。このため、これらの面間隔Ｄ７，Ｄ１６，Ｄ２４，Ｄ２７，Ｄ３０が可変であり、その値を［可変間隔データ］の表に示している。【０１３７】
以下の表６に、第６実施例に係る光学系の諸元の値を掲げる。【０１３８】
（表６）
[レンズデータ]
面番号     R           D        nd             νd
1      1983.8745     2.300    1.80400         46.60
2      140.4647      9.000    1.43700         95.00
3      -418.7198     0.100                 
4      142.7297      6.300    1.49782         82.57
5      8413.3556     0.100                 
6      146.0517      5.400    1.49782         82.57
7      664.6345      D7(可変）                    
8      101.5677      1.000    1.83481         42.73
9      13.6150       6.200                 
10     -44.4525      1.000    1.83481         42.73
11     50.6633       0.100                 
12     26.7472       3.100    1.80518         25.45
13     -94.2125      1.500                 
14     -22.6062      1.000    1.69680         55.52
15     40.1525       2.000    1.92286         20.88
16     380.6148      D16(可変）                   
17     ∞            0.750                           (絞りS)
18*    12.5818       3.400    1.49710         81.49
19*    -62.1926      2.300                 
20     22.6772       1.000    1.91082         35.25
21     12.5702       1.850                 
22     15.7691       0.800    1.79500         45.31
23     10.1908       3.600    1.49700         81.61
24     -51.5490      D24(可変）                   
25     -300.0000     1.900    1.53172         48.78
26     -14.6434      0.800    1.49700         81.61
27     15.3423       D27(可変）                   
28     20.2943       0.800    1.75520         27.57
29     12.2152       2.700    1.58913         61.15
30*    -64.7065      D30(可変）                   
31     ∞            0.210    1.51680         63.88
32     ∞            0.850                 
33     ∞            0.500    1.51680         63.88
34     ∞            BF                    
[全体諸元]
ズーム比      141.11
Wide      Middle     Tele
f      4.429     50.222     625.000
Fno    2.920     4.826      8.210
ω     43.299    4.482      0.365
Y      3.35      4.05       4.05
BF     0.400     0.400      0.400
TL     163.436   241.817    289.934
[非球面データ]
面番号  κ          A4            A6             A8            A10
18   0.1498    1.06103E-05   7.37832E-08    0.00000E+00   0.00000E+00
19   -10.0000  2.06381E-05   -1.53504E-08   0.00000E+00   0.00000E+00
30   1.0000    5.90152E-05   0.00000E+00    0.00000E+00   0.00000E+00
[可変間隔データ]
可変間隔  Wide      Middle    Tele
D7       0.750     120.124   172.500
D16      79.993    21.443    1.691
D24      3.006     17.464    27.821
D27      13.214    17.939    26.432
D30      5.513     3.886     0.530
[ズームレンズ群データ]
群番号    群初面      群焦点距離
G1         1          199.598      
G2         8          -11.253      
G3         17         21.949
G4         25         -31.396      
G5         28         30.837       
〔条件式対応値〕
条件式（１）  −(ｆｔ／ｆｗ)／(ｆ２／ｆ１)＝２５０２．８７
条件式（２）  ｆ１／（−ｆ２）＝１７．７３７
条件式（３）  ｆ１／ｆｗ＝４５．０６４
条件式（４）  Ｄｔ１２／（−ｆ２）＝１５．２６３
条件式（５）  ｆｔ／（−ｆ２）＝５５．５４
条件式（６）  (β２ｔ・β３ｔ）／（β２ｗ・β３ｗ）＝１０５．５３
条件式（７）  ｆｔ／ｆ３＝２８．４７５
条件式（８）  ｆｔ／Ｘ２＝１３．８１２
条件式（９）  ωｔ＝０．３６５°
条件式（１０）  ωｗ＝４３．２９９°
【０１３９】
上記［条件式対応値］の表に示すように、図１６に示す第６実施例に係るズームレンズＺＬ（６）は、上記条件式（１）〜（１０）の全てを満たしている。【０１４０】
図１８（Ａ）、図１８（Ｂ）および図１８（Ｃ）はそれぞれ、第６実施例に係るズームレンズＺＬ（６）の広角端状態、中間焦点距離状態、望遠端状態における無限遠合焦時の諸収差図である。各諸収差図から分かるように、第６実施例に係るズームレンズＺＬ（６）は、広角端状態から望遠端状態にわたって諸収差を良好に補正し優れた結像性能を有していることがわかる。【０１４１】
上記各実施例は本願発明の一具体例を示しているものであり、本願発明はこれらに限定されるものではない。【０１４２】
以下の内容は、本実施形態のズームレンズの光学性能を損なわない範囲で適宜採用することが可能である。【０１４３】
本実施形態のズームレンズの実施例として５群構成のものを示したが、本願はこれに限られず、その他の群構成（例えば、６群等）のズームレンズを構成することもできる。具体的には、本実施形態のズームレンズの最も物体側や最も像面側にレンズ又はレンズ群を追加した構成でも構わない。なお、レンズ群とは、変倍時に変化する空気間隔で分離された、少なくとも１枚のレンズを有する部分を示す。【０１４４】
単独または複数のレンズ群、または部分レンズ群を光軸方向に移動させて、無限遠物体から近距離物体への合焦を行う合焦レンズ群としても良い。合焦レンズ群は、オートフォーカスにも適用でき、オートフォーカス用の（超音波モータ等を用いた）モータ駆動にも適している。【０１４５】
レンズ群または部分レンズ群を光軸に垂直な方向の成分を持つように移動させ、または、光軸を含む面内方向に回転移動（揺動）させて、手ブレによって生じる像ブレを補正する防振レンズ群としても良い。【０１４６】
レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。【０１４７】
レンズ面が非球面の場合、非球面は、研削加工による非球面、ガラスを型で非球面形状に形成したガラスモールド非球面、ガラスの表面に樹脂を非球面形状に形成した複合型非球面のいずれでも構わない。また、レンズ面は回折面としても良く、レンズを屈折率分布型レンズ（ＧＲＩＮレンズ）あるいはプラスチックレンズとしても良い。【０１４８】
開口絞りは第３レンズ群近傍又は中に配置されるのが好ましいが、開口絞りとしての部材を設けずに、レンズの枠でその役割を代用しても良い。【０１４９】
各レンズ面には、フレアやゴーストを軽減し、コントラストの高い光学性能を達成するために、広い波長域で高い透過率を有する反射防止膜を施しても良い。
【符号の説明】
【０１５０】
Ｇ１  第１レンズ群                    Ｇ２  第２レンズ群
Ｇ３  第３レンズ群                    Ｇ４  第４レンズ群
Ｇ５  第５レンズ群                    ＦＬ１，ＦＬ２  フィルター
Ｉ  像面                              Ｓ  開口絞り
【図１】
2019220628.tif 000003
【図２】
2019220628.tif 000004
【図３】
2019220628.tif 000005
【図４】
2019220628.tif 000006
【図５】
2019220628.tif 000007
【図６】
2019220628.tif 000008
【図７】
2019220628.tif 000009
【図８】
2019220628.tif 000010
【図９】
2019220628.tif 000011
【図１０】
2019220628.tif 000012
【図１１】
2019220628.tif 000013
【図１２】
2019220628.tif 000014
【図１３】
2019220628.tif 000015
【図１４】
2019220628.tif 000016
【図１５】
2019220628.tif 000017
【図１６】
2019220628.tif 000018
【図１７】
2019220628.tif 000019
【図１８】
2019220628.tif 000020
【図１９】
2019220628.tif 000021
【図２０】
2019220628.tif 000022
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、変倍時に、隣り合う各レンズ群の間隔が変化し、
下記の条件式を満足するズームレンズ。
１２５０．０＜−(ｆｔ／ｆｗ)／(ｆ２／ｆ１)
但し、ｆｗ：広角端状態における前記ズームレンズ全系の焦点距離
ｆｔ：望遠端状態における前記ズームレンズ全系の焦点距離
ｆ１：前記第１レンズ群の焦点距離
ｆ２：前記第２レンズ群の焦点距離
【請求項２】
下記の条件式を満足する請求項１に記載のズームレンズ。
１３．００＜ｆ１／（−ｆ２）
【請求項３】
下記の条件式を満足する請求項１もしくは２に記載のズームレンズ。
３３．００＜ｆ１／ｆｗ＜５０．００
但し、ｆｗ：広角端状態における前記ズームレンズ全系の焦点距離
【請求項４】
広角状態から望遠状態への変倍時に、前記第１レンズ群が物体側へ移動する請求項１〜３のいずれかに記載のズームレンズ。
【請求項５】
広角状態から望遠状態への変倍時に、前記第１レンズ群と前記第２レンズ群の間隔が拡大し、前記第２レンズ群と前記第３レンズ群の間隔が縮小し、前記第３レンズ群と前記第４レンズ群の間隔が拡大する請求項１〜４のいずれかに記載のズームレンズ。
【請求項６】
変倍時に、前記第１レンズ群、前記第２レンズ群、前記第３レンズ群および前記第４レンズ群が光軸に沿って移動する請求項１〜５のいずれかに記載のズームレンズ。
【請求項７】
変倍時に、前記第５レンズ群が光軸に沿って移動する請求項１〜６のいずれかに記載のズームレンズ。
【請求項８】
前記第３レンズ群の少なくとも１つのレンズ面は、非球面を有する請求項１〜７のいずれかに記載のズームレンズ。
【請求項９】
前記第１レンズ群が４枚のレンズで構成される請求項１〜８のいずれかに記載のズームレンズ。
【請求項１０】
前記第４レンズ群が２枚以下のレンズで構成される請求項１〜９のいずれかに記載のズームレンズ。
【請求項１１】
前記第５レンズ群が２枚以下のレンズで構成される請求項１〜１０のいずれかに記載のズームレンズ。
【請求項１２】
前記第５レンズ群の少なくとも１つのレンズ面は、非球面を有する請求項１〜１１のいずれかに記載のズームレンズ。
【請求項１３】
合焦の際に、前記第４レンズ群の少なくとも一部が光軸に沿って移動する請求項１〜１２のいずれかに記載のズームレンズ。
【請求項１４】
前記第３レンズ群は、光軸と垂直な方向の変位成分を有するように移動可能な防振レンズ群を少なくとも一部に有する請求項１〜１３のいずれかに記載のズームレンズ。
【請求項１５】
下記の条件式を満足する請求項１〜１４のいずれかに記載のズームレンズ。
１０．００＜Ｄｔ１２／（−ｆ２）
但し、Ｄｔ１２：望遠端状態における前記第１レンズ群の像側面から前記第２レンズ群の物体側面までの光軸上の距離
【請求項１６】
下記の条件式を満足する請求項１〜１５のいずれかに記載のズームレンズ。
３３．００＜ｆｔ／（−ｆ２）＜６０．００
【請求項１７】
下記の条件式を満足する請求項１〜１６のいずれかに記載のズームレンズ。
６５．００＜（β２ｔ・β３ｔ）／（β２ｗ・β３ｗ）＜１２０．００
但し、β２ｔ：望遠端状態における前記第２レンズ群の倍率
β３ｔ：望遠端状態における前記第３レンズ群の倍率
β２ｗ：広角端状態における前記第２レンズ群の倍率
β３ｗ：広角端状態における前記第３レンズ群の倍率
【請求項１８】
下記の条件式を満足する請求項１〜１７のいずれかに記載のズームレンズ。
１８．００＜ｆｔ／ｆ３＜３３．００
但し、ｆ３：前記第３レンズ群の焦点距離
【請求項１９】
下記の条件式を満足する請求項１〜１８のいずれかに記載のズームレンズ。
１０．００＜ｆｔ／Ｘ２＜２０．００
但し、Ｘ２：広角端状態から望遠端状態への変倍に際し、結像位置に対して前記第２レンズ群が像面方向に移動する距離
【請求項２０】
前記第２レンズ群と前記第４レンズ群との間に、開口絞りを有する請求項１〜１９のいずれかに記載のズームレンズ。
【請求項２１】
前記第２レンズ群と前記第３レンズ群との間に、開口絞りを有する請求項１〜２０のいずれかに記載のズームレンズ。
【請求項２２】
下記の条件式を満足する請求項１〜２１のいずれかに記載のズームレンズ。
０．１０°＜ωｔ＜４．００°
但し、ωｔ：望遠端状態における半画角
【請求項２３】
下記の条件式を満足する請求項１〜２２のいずれかに記載のズームレンズ。
２５．００°＜ωｗ＜８０．００°
但し、ωｗ：広角端状態における半画角
【請求項２４】
請求項１〜２３のいずれかに記載のズームレンズを搭載して構成される光学機器。
【国際調査報告】
2019220628.tif 000023
2019220628.tif 000024
2019220628.tif 000025
2019220628.tif 000026
2019220628.tif 000027